(57)【要約】  体重管理システム１０は、過去の食物摂取事象及び過去のエネルギ消費事象を記録する記録手段１１と、予定表項目を受け取る手段１１と、前記過去の食物摂取事象、前記過去のエネルギ消費事象及び前記予定表項目を記憶する記憶手段１２とを有する。前記システムは、前記過去の食物摂取事象、前記過去のエネルギ消費事象及び前記予定表項目に基づいて、少なくとも１つの未来の食物摂取事象又は少なくとも１つの未来のエネルギ消費事象を予定し、前記未来の食物摂取事象又は前記少なくとも１つの未来のエネルギ消費事象を前記予定表項目の１つとして記憶手段１２に追加するプロセッサ１３を更に有する。前記ユーザに前記予定表項目を提示する出力部１４が設けられる。システム１０は、体重管理システムをユーザの個人予定表と統合することを可能にする。
2009521053.tif 000002
【特許請求の範囲】
【請求項１】
過去の食物摂取事象及び過去のエネルギ消費事象を記録する記録手段と、
予定表項目を受け取る手段と、
前記過去の食物摂取事象、前記過去のエネルギ消費事象及び前記予定表項目を記憶する記憶手段と、
前記過去の食物摂取事象、前記過去のエネルギ消費事象及び前記予定表項目に基づいて、少なくとも１つの未来の食物摂取事象又は少なくとも１つの未来のエネルギ消費事象を予定し、前記未来の食物摂取事象又は前記少なくとも１つの未来のエネルギ消費事象を前記予定表項目の１つとして前記記憶手段に追加するプロセッサと、
前記予定表項目を提示する出力部と、
を有する体重管理システム。
【請求項２】
前記過去の食物摂取事象の記録が、受け取られた代謝エネルギの量の記録を有し、
前記過去のエネルギ消費事象の記録が、消費された代謝エネルギの量の記録を有し、
前記プロセッサが、所定のバランス基準によって前記受け取られた代謝エネルギと前記消費された代謝エネルギとの間の差のバランスを取るように前記少なくとも１つの未来の食物摂取事象又は前記少なくとも１つの未来のエネルギ消費事象を予定するように動作する、
ことを特徴とする、請求項１に記載の体重管理システム。
【請求項３】
２つの連続した予定表項目が、それぞれの地理的位置を有し、前記プロセッサが、前記連続した予定表項目の前記それぞれの地理的位置の間の移動に対して移動アドバイスを生成するように動作し、前記移動アドバイスが、使用されるべき輸送手段に関する少なくとも１つの情報を有する、請求項１に記載の体重管理システム。
【請求項４】
前記使用されるべき輸送手段に関する情報が、前記それぞれの地理的位置の間の距離、前記連続した予定表項目の間の利用可能な時間の量及び前記輸送手段の使用に必要とされる代謝エネルギの量に基づいて決定される、請求項３に記載の体重管理システム。
【請求項５】
前記使用されるべき輸送手段に関する情報が、前記過去の及び／又は未来の食物摂取事象並びに前記過去の及び／又は未来のエネルギ消費事象に基づいて決定される、請求項３に記載の体重管理システム。
【請求項６】
食物摂取情報及び／又はエネルギ消費情報並びに２つの地理的位置を受け取るモジュールと、
前記地理的位置の間を移動する移動アドバイスを生成するモジュールであって、前記移動アドバイスが、使用されるべき輸送手段に関する少なくとも１つの情報を有し、前記使用されるべき輸送手段に関する情報が、前記受け取られた食物摂取情報及び／又はエネルギ消費情報、前記２つの地理的位置並びに前記輸送手段の使用に必要とされる代謝エネルギの量に基づいて決定される、当該生成するモジュールと、
を有する旅行プランナ。
【請求項７】
請求項１に記載のシステムにおいて使用するように構成され、前記移動アドバイスを前記予定表項目の１つとして前記記憶手段に追加するモジュールを更に有する、請求項７に記載の旅行プランナ。
【請求項８】
過去の食物摂取事象、過去のエネルギ消費事象及び予定表項目を記憶するステップと、
前記過去の食物摂取事象、前記過去のエネルギ消費事象及び前記予定表項目に基づいて、少なくとも１つの未来の食物摂取事象又は少なくとも１つの未来のエネルギ消費事象を予定するステップと、
前記少なくとも１つの未来の食物摂取事象又は前記少なくとも１つの未来のエネルギ消費事象を前記予定表項目の１つとして記憶するステップと、
前記予定表項目を提示するステップと、
を有する、体重を管理する方法。
【請求項９】
請求項８に記載の方法をプロセッサに実行させるように動作するコンピュータプログラム。
【発明の詳細な説明】
【技術分野】
【０００１】
本発明は、過去の食物摂取事象及び過去のエネルギ消費事象を記録する記録手段と、前記過去の食物摂取事象及び前記過去のエネルギ消費事象を記憶する記憶手段と、
前記過去の食物摂取事象及び前記過去のエネルギ消費事象に基づいて、少なくとも１つの未来の食物摂取事象又は少なくとも１つの未来のエネルギ消費事象を計画するプロセッサと、前記少なくとも１つの未来の食物摂取事象及び／又は前記少なくとも１つの未来のエネルギ消費事象を提示する出力部と、
を有する体重管理システムに関する。
【０００２】
本発明は、更に、前記体重管理システムにおいて使用されることができる旅行プランナ（travel planner）に関する。
【０００３】
本発明は、更に、体重を管理する方法に関する。
【０００４】
本発明は、更に、前記方法を実行するコンピュータプログラムに関する。
【背景技術】
【０００５】
このような体重管理システムは、例えば、欧州特許出願ＥＰ１４７３６５５Ａ１から既知である。ＥＰ１４７３６５５Ａ１は、人間の体重管理に対する方法及び装置を記載する。ユーザの初期体重及び目標体重は、ユーザインタフェースを介して受け取られ、前記装置が、前記ユーザの初期体重と目標体重との間の差に基づいて生成される場合、食物摂取量及び運動命令が、前記ユーザインタフェースを介して表される。加えて、実際のユーザのエネルギ消費、食物摂取量及び体重が、前記ユーザインタフェースを介して受け取られる。前記食物摂取量及び／又は運動命令は、前記ユーザの体重の変化に基づいて修正される。一実施例において、前記ユーザの仕事量を規定する情報を受け取り、エネルギ消費を生成する場合に前記仕事量を考慮に入れる。
【発明の開示】
【発明が解決しようとする課題】
【０００６】
ＥＰ１４７３６５５Ａ１によるシステムの問題は、人々はしばしば運動及び食物摂取量命令に従うのが困難であることである。忙しい日に、人々は、運動し、健康的な食事を準備する時間がほとんどない。命令に従わないことにより、前記目標体重を実現するチャンスは大幅に減少される。したがって、本発明の命令は、従うのが容易である、ユーザ用命令を提供する体重管理システムを提供することである。
【課題を解決するための手段】
【０００７】
本発明によると、この目的は、冒頭の段落に記載されたシステムであって、前記システムが、予定表項目（agenda entries）を受け取る手段を更に有し、前記予定表項目が、前記記憶手段に記憶され、前記プロセッサが、前記過去の食物摂取事象、前記過去のエネルギ消費事象及び前記予定表項目に基づいて、少なくとも１つの未来の食物摂取事象又は少なくとも１つの未来のエネルギ消費事象を予定し、前記未来の食物摂取事象又は前記少なくとも１つの未来のエネルギ消費事象を、前記予定表項目の１つとして前記記憶手段に追加するように構成される、当該システムを提供することにより達成される。
【０００８】
前記システムは、ユーザの通常の予定表を体重管理システムと組み合わせる。未来のエネルギ消費事象及び未来の食物摂取事象が計画される場合、前記ユーザの予定表項目が考慮に入れられる。結果として、前記計画された事象は、ユーザの通常の予定表と矛盾せず、前記ユーザが、前記体重管理システムにより計画された食物摂取事象及びエネルギ消費事象の提案に従うのが大幅に容易になる。
【０００９】
本発明による前記体重管理システムの好適な実施例において前記過去の食物摂取事象の記録は、受け取られた代謝エネルギの量の記録を含み、前記過去のエネルギ消費の記録は、消費された代謝エネルギの量の記録を含み、前記プロセッサは、所定のバランス基準により前記受け取られた代謝エネルギと前記消費された代謝エネルギとの間の差のバランスを取るように前記少なくとも１つの未来の食物摂取事象及び前記少なくとも１つの未来のエネルギ消費事象を予定するように動作する。
【００１０】
'受け取られた代謝エネルギ'で、有機体内の代謝プロセスに使用されることができる全てのエネルギが示される。代謝プロセスは、生きている有機体の細胞内の全てのエネルギ消費プロセスである。細胞レベルのエネルギ消費は、成長、呼吸、歩行、思考、執筆等のような全ての生物学的及び行動プロセスをもたらす。前記'受け取られた代謝エネルギ'は、一般に、食物及び飲み物によってもたらされる。'消費された代謝エネルギ'で、有機体により使用されたエネルギが示される。代謝エネルギの標準的な尺度は、ジュール又はカロリーである。１００グラムのキャンディバーを食べると、例えば、４８３Ｋｃａｌの受け取られた代謝エネルギの結果になりうる。３０分の歩行は、例えば、１６０Ｋｃａｌの消費された代謝エネルギの結果となりうる。
【００１１】
前記受け取られた代謝エネルギと前記消費された代謝エネルギとの間の差は、前記ユーザが体重を増やしそうか又は減らしそうかを示す。ユーザが、体重を安定化したい場合、前記差はおよそゼロであるべきである。ユーザが体重を減らしたい場合、受け取られるよりわずかに多くの代謝エネルギが消費されるべきである。この実施例において、前記プロセッサは、前記記録された食物摂取事象の間に受け取られた代謝エネルギの総量を加算し、前記記録されたエネルギ消費事象の間に消費された代謝エネルギの総量を減算することにより前記差を監視する。この場合、前記プロセッサは、前記差のバランスを取るように未来の事象を予定する。前記バランスを実行するために所定のバランス基準が使用される。例えば、所定の期間にわたる摂取と消費との間の相対的な差は、所定の最大相対差より小さくなくてはならない。
【００１２】
本発明による前記体重管理システムの更に他の実施例において、２つの連続した予定表項目は、それぞれの地理的位置を有し、前記プロセッサは、前記連続した予定表項目の前記それぞれの地理的位置の間を移動するための移動アドバイスを生成するように動作し、前記移動アドバイスは、使用されるべき輸送手段（means of conveyance）に関する少なくとも１つの情報を有する。
【００１３】
この実施例は、エネルギ消費事象の計画をユーザの予定表の項目と統合する可能性を提供するという利点を持つ。幾つかの輸送手段は、エネルギを消費するのに使用されることができるのに対し、他の輸送手段は、高速移動に使用されることができる。例えば、２つの位置の間の歩行又はサイクリングの場合、前記ユーザは、大量のエネルギを消費する。忙しい日に、前記体重管理システムは、別個の身体運動活動を計画する代わりに位置の間の歩行及びサイクリングを提案することができる。
【００１４】
前記使用されるべき輸送手段に関する情報は、それぞれの地理的位置の間の距離、連続した予定表項目の間の利用可能な時間の量、及び前記輸送手段の使用に必要とされる代謝エネルギの量に基づいて決定されることができる。
【００１５】
２つの予定表の間により多くの時間が利用可能であり、前記地理的位置が互いから遠くない場合、歩行又はサイクリングのような比較的遅いがエネルギを要求する輸送手段が、提案されることができる。２つの予定表項目の間により少ない時間が利用可能であり、前記地理的位置が互いから離れている場合、列車又は自動車のようなより速い輸送手段が提案される。例えば、ユーザが、互いから４マイルはなれた２つの異なる位置において２つの約束があり、前記ユーザが、これら２つの位置の間を移動するために３０分の時間を持つ場合、前記ユーザは、自転車で行くことをアドバイスされることができる。しかしながら、前記２つの予約の間の時間が１５分しかない場合、自動車、バス又はタクシーの使用が提案されることができる。自動者又はバスが使用される場合、対応するエネルギ消費は非常に低い。
【００１６】
代わりに又は加えて、前記使用されるべき輸送手段に関する情報は、前記過去の及び未来の食物摂取事象並びに前記過去の及び／又は未来のエネルギ消費事象に基づいて決定されることができる。
【００１７】
これは、前記体重管理システムが、（危険な）エネルギ剰余の期間を検出する場合には、より多くのエネルギを要求する輸送手段を提案し、前記体重管理システムが、（危険な）エネルギ不足の期間を検出する場合には、より少ないエネルギを要求する輸送手段を提案することを可能にする。例えば、前記ユーザが、最近の数日内に幾つかの身体運動活動を既に実行した場合、前記システムは、バスに乗ることを提案しうる。夕方にディナーパーティが計画されている場合、前記システムは、代わりに自転車を使用することを提案しうる。
【００１８】
本発明の他の態様によると、食物摂取情報及び／又はエネルギ消費情報並びに２つの地理的位置を受け取るモジュールと、前記地理的位置の間を移動するための移動アドバイスを生成するモジュールとを有する旅行プランナが提供され、前記移動アドバイスが、使用されるべき輸送手段に関する少なくとも１つの情報を有し、前記使用されるべき輸送手段に関する情報が、前記受け取られた食物摂取情報及び／又はエネルギ消費情報、前記２つの地理的位置並びに前記輸送手段の使用に必要とされる代謝エネルギの量に基づいて決定される。
【００１９】
前記旅行プランナは、例えば、本発明による体重管理システムにおいて使用されるか、又は従来の体重管理システムの出力データを使用してもよい。
【００２０】
本発明のこれら及び他の態様は、以下に記載される実施例を参照して説明され、明らかになる。
【発明を実施するための最良の形態】
【００２１】
図１は、本発明による体重管理システム１０を概略的に示す。前記システムは、キーボード、タッチスクリーン、マウス、トラックボール又はユーザが食物摂取事象、エネルギ消費事象及び予定表項目に関するデータを入力することを可能にする他のタイプのポインティングデバイスのような入力デバイス１１を有する。代替的には、システム１０は、ユーザ入力を受けるためにマイクロフォン及び音声認識ソフトウェアを使用してもよい。前記ユーザは、いつ及び何を飲食したか、特定の期間において何の活動を実行したかを記録する、又は未来に行うことを計画した約束及び活動の時間、位置及び説明を入力するのに入力デバイス１１を使用することができる。前記入力データの一部は、電子予定表、食物摂取記録システム又は活動記録システムから受け取られることができる。食物摂取及び活動を記録又は測定する多くの既知のシステム及び装置が、前記入力を提供するために使用されることができる。例えば、心拍測定装置は、所定の時間期間においてユーザが消費するエネルギの量に関する正確な情報を提供することができる。自転車コンピュータは、ユーザが自転車により移動する距離及び速度を正確に測定するために使用されることができる。前記距離及び速度は、消費されたエネルギの量を計算するのに使用されることができる。
【００２２】
システム１０は、全ての入力データを記憶する記憶手段１２を更に有する。オプションとして、前記入力データは、前記システムにとって使用可能な形式の記憶を可能にするようにプロセッサ１３により変換される。例えば、消費された食事の説明は、栄養値のセットに変換されることができる。
【００２３】
プロセッサ１３は、前記ユーザが、行うことを計画した活動を見ることを可能にするように前記記憶された予定表項目をディスプレイ１４又は他の出力デバイスに送信するようにも動作する。その結果、前記ユーザは、入力デバイス１１を使用して予定表項目を変更、追加又は除去することを決定することができる。電子予定表が、予定表項目を見る及び編集する機能を提供することは、周知であり、しばしばＰＤＡ又は携帯電話用ソフトウェアとして提供される。
【００２４】
この発明によると、プロセッサ１３は、未来の食物摂取事象及び未来のエネルギ消費事象を計画する新しい予定表項目を予定するのに前記入力データを使用する。体重管理関連アイテムを予定する場合、プロセッサ１３は、その日に既に計画されている活動を考慮に入れる。システム１０は、例えば、激しい運動の前にパスタを食べることを計画するか、又は量が多いランチミーティングが予定される場合に通常より少ない朝食を計画する。
【００２５】
オプションとして、食物摂取事象を計画する場合、システム１０は、ディナーを買い、準備する時間を考慮に入れ、それを行うのに十分な時間があるかどうかを確認する。買い物を行う活動は、準備し、食べる活動とは時間的に分離されることができる。忙しい日に、システム１０は、単純なレシピ又は健康的な持ち帰り用ディナーを提案することができる。前記ユーザが既に家に必要な材料を持っている、又は他の時間に食べることを決定する場合、前記ユーザは、前記食物摂取事象に関する予定表項目を編集、追加又は除去することができる。
【００２６】
システム１０により選択される食物は、前記入力データに基づいて選択される。システム１０は、前記ユーザの前記記録された食物摂取を前記記録されたエネルギ消費事象と比較する。好ましくは、システム１０は、前記ユーザの好みが記憶されるユーザプロファイルをも使用する。たくさん運動し、体重問題のないユーザに対して、ほとんどの提案は、主に前記好みに基づく。太りすぎのユーザは、一般に、カロリーの低い健康的な食物を食べるように提案される。好ましくは、受け取られる代謝エネルギ及び消費される代謝エネルギの量は、監視され、プロセッサ１３は、前記受け取られた代謝エネルギと前記消費された代謝エネルギとの間の差のバランスを取るように前記未来の食物摂取事象及び前記未来のエネルギ消費事象を予定する。これは、システム１０が前記ユーザの体重を制御することを可能にする。ユーザが、体重を安定化したい場合、前記差は、およそゼロであるべきである。ユーザが体重を減らしたい場合、受け取られるよりわずかに多くの代謝エネルギが消費されるべきである。
【００２７】
代替的には、前記受け取られた代謝エネルギ及びユーザの体重が監視され、前記消費された代謝エネルギは、エネルギ摂取及び消費の結果としての身体組成の変化をシミュレートするモデルを使用して、前記受け取られた代謝エネルギ及び前記ユーザの体重から計算される。同様に、前記受け取られた代謝エネルギは、前記消費された代謝エネルギ及び前記ユーザの体重から計算されることができる。しかしながら、前記消費されたエネルギを正確に測定することは、食物摂取及びユーザ体重を正確に測定することより幾分か難しい。
【００２８】
前記予定された活動は、他の予定表項目によっても影響を受ける。活動計画は、ユーザがリラックスする時間を必要とすることを考慮に入れることができる。システム１０は、ユーザが翌朝に非常に早く起きなければならない場合に夜遅くに激しい運動を計画することを防ぐことができる。ビジネスミーティングの前に、前記システムは、汗が悪い印象を与える可能性があるので、激しい運動（例えば自転車移動）を計画しない。前記システムは、前記体重管理プロセスに変化を引き起こすことができる特別な期間を検出することができる。１年の最後の週は、たくさんの食物及び少ない運動の週としてよく知られているので、システム１０は、この期間の前後の週により少ない食物及びより多くの活動を計画することができる。
【００２９】
既知の食物摂取記録及び活動記録システムが、関連事象を記録するのに使用されることができる。オプションとして、システム１０により計画される事象は、計画された時間が来ると自動的に記録される。前記ユーザは、前記計画どおりに行動しなかった、又は正確に行動しなかった場合に前記記録された事象を訂正することができる。過去の項目に基づいて、前記システムは、活動及び食物のユーザの好みを学習し、パターンを抽出する。これらの好みは、未来の計画の提案として使用されることができる。このように、前記ユーザは、これらの活動を手動で計画する必要はない。
【００３０】
好ましくは、前記システムは、前記ユーザの活動限界及び障害を考慮に入れる。このために、システム１０は、前記ユーザが障害を入力することを可能にし、又は限界を自動的に学習する。例えば、ユーザが膝を悪くしている場合、前記システムは、長い歩行を提案すべきでない。
【００３１】
図２は、遠隔サービス１５に対する結合１６を持つ、本発明による体重管理システム１０を概略的に示す。結合１６は、例えば、ブルートゥース、ＧＳＭ、ＷＡＰ、ＵＳＢ、ＡＤＳＬ、赤外線及び／又はインターネットにより有線又は無線で実現されることができる。遠隔サービス１５は、例えば、ソフトウェア更新又は追加の体重管理若しくは予定表関連サービスを提供することができる。遠隔サーバは、食物摂取事象及びエネルギ消費事象に関する情報を持つ大きなデータベースを有することができ、前記情報は、これらの事象の記録又は前記記録された事象の更なる処理に使用されることができる。
【００３２】
このような遠隔サービス１５の例は、インターネット上でhttp://journeyplanner.tfl.gov.ukにおいて提供されるような旅行プランナである。このような旅行プランナは、例えば、公共輸送、歩行及び／又はサイクリングを使用して、ある位置から他の位置への経路を推薦し、移動に必要とされる予測時間量を計算することができる。本発明の一態様によると、２つの連続した予定表項目は、前記予定表項目の事象が生じる位置を有する。それぞれの位置が、中央旅行計画サーバに送信され、前記中央旅行計画サーバは、前記推薦される経路に関する情報を返す。前記推薦される経路に関する情報は、出発及び到着時間、輸送手段、バスの路線番号、地下鉄駅の名称、及び鉄道乗車券の料金等を有しうる。好ましくは、異なる輸送手段の混合が、前記移動の時間、距離又はコストを最適化するように提案される。
【００３３】
本発明によると、前記経路は、体重管理及び予定表計画に対しても最適化される。体重管理に関して、計画された経路をたどる間に消費されるエネルギの量が重要である。歩行又はサイクリングは、バスで行くより多くのエネルギを消費し、したがって、一般に、より健康的である。しかしながら、バスに乗る又は自動車で行くことがより好ましくなる状況が生じうる。例えば、歩行又はサイクリングは、前記２つの連続した予定表項目の間で利用可能な時間より多くの時間がかかるかもしれない。歩行又はサイクリングは、他の身体運動が同じ日に既に計画されている場合には、多すぎるエネルギを消費するかもしれない。距離によっては、ある人にとって長すぎるかもしれない。最大の歩行及びサイクリング距離は、好ましくは、ユーザ固有である。前記システムは、身体的限界を考慮に入れることができる。オンライン天気サービスとの接触を介して、移動中の時間に雨の高い確率が存在することが知られるかもしれず、これは、歩行又はサイクリングを不愉快にする。好適な実施例において、平均歩行又はサイクリング速度が、場所から場所への移行時間を推定するのに使用される。これらの平均速度は、例えば、ユーザにより提供されるか、又はＧＰＳユニット若しくは自転車コンピュータから得られることができる。
【００３４】
代替実施例において、前記旅行プランナは、プロセッサ１３を有するが、前記旅行プランナに必要とされる全ての情報を記憶する大きな記憶容量を必要とする装置の一部でありうる。このような実施例は、好ましくは、依然として、前記移動アドバイスが基づく情報を更新する外部サービスに対する接続を持つ。
【００３５】
表１において、１日の予定表項目の典型的な提示が示される。前記表は、前記ユーザにより提供された予定表項目及び前記システムにより生成された予定表項目を有する。前記システムは、オフィスから自転車で到達するには遠すぎる会議場でのミーティングのため、朝に仕事に行くのに自動車を選択した。１３：００に、前記システムは、エネルギ摂取をこの日のエネルギ消費とバランスを取るために、短い散歩を計画した。１日の総エネルギ摂取（摂取−消費）は、毎日０でなければならないわけではない。前記システムは、より長い期間にわたりエネルギ摂取及び消費のバランスを取ろうと試みることもできる。太りすぎの人に対して、より長い期間にわたる総エネルギ摂取は負であるべきである。
【表１】
2009521053.tif 000003
【００３６】
図３は、本発明による方法のフロー図を示す。前記方法は、過去の食物摂取事象３５、過去のエネルギ消費事象３６及び予定表項目３７を記憶する入力ステップ３１を有する。前記入力は、１以上のユーザインタフェースを介して又は例えば食物記録装置、電子予定表、心拍モニタ又は自転車コンピュータを介して受け取られることができる。次いで、予定ステップ３２において、少なくとも１つの未来の食物摂取事象又は少なくとも１つの未来のエネルギ消費事象が、入力ステップ３１において受け取られた入力に基づいて予定される。本発明によるシステムに関して上で述べられたように、前記未来の食物摂取及びエネルギ消費事象は、ユーザの通常の予定表上に配置される。体重管理システム及びユーザの通常の予定表の統合は、結果として、他の活動に干渉しすぎずに容易に従われることができる食物摂取及びエネルギ消費アドバイスを生じる。上述の旅行プランナも前記未来の事象の予定に使用される場合、運動するために多くの余暇時間を失わずに健康的な生活を送ることさえ可能になりうる。予定ステップ３２の後に、前記少なくとも１つの未来の食物摂取事象又は前記少なくとも１つの未来のエネルギ消費事象を前記予定表項目の１つとして記憶するステップ３３が実行される。次いで、提示ステップ３４において、前記予定表項目は、ユーザ８３に提示される。前記提示は、好ましくは、ディスプレイを使用して実現される。ユーザ３８は、次いで、前記アドバイスに従うか又は従わなくてもよく、入力ステップ３１において再び前記ユーザの実際の行動に関する情報を前記システムに提供する。
【００３７】
図４は、本発明による旅行プランナ４０のブロック図を示す。本発明は、食物摂取情報及び／又はエネルギ消費情報並びに２つの地理的位置を受け取る入力モジュールを有する。前記食物摂取情報は、例えば、先週中に摂取されたカロリーの量を有しうる。前記エネルギ消費情報は、例えば、先週中に消費されたカロリーの量を有しうる。前記情報は、記録された食物摂取又はエネルギ消費事象をも有しうる。旅行プランナ４０は、前記地理的位置間を移動する移動アドバイスを生成するモジュールを更に有し、前記移動アドバイスは、使用されるべき輸送手段に関する少なくとも１つの情報を有する。前記使用されるべき輸送手段に関する情報は、前記受け取られた食物摂取情報及び／又はエネルギ消費情報並びに前記２つの地理的位置に基づいて決定される。一般に、歩行又はサイクリングがアドバイスされる確率は、前記２つの位置の間の距離が小さい場合かつ消費するより多くのカロリーを摂取する人に対して大きい。表２は、どの輸送手段を推薦するかを選択するために旅行プランナ４０により使用されることができる情報を持つ表を示す。輸送手段を選択する場合に多くの他の情報が考慮に入れられることができることに注意すべきである。
【表２】
2009521053.tif 000004
【００３８】
上述の実施例が、本発明を限定するのではなく説明しており、当業者が、添付の請求項の範囲から逸脱することなく多くの代替実施例を設計することができることに注意すべきである。請求項において、括弧内に配置された参照符号は、前記請求項を限定するように解釈されるべきでない。動詞"有する"及びその活用形の使用は、請求項に記載された要素又はステップ以外の要素又はステップの存在を除外しない。要素に先行する冠詞"１つの"は、複数のこのような要素の存在を除外しない。本発明は、複数の別個の要素を有するハードウェアを用いて、及び適切にプログラムされたコンピュータを用いて実施されることができる。複数の手段を列挙する装置請求項において、これらの手段の幾つかは、同一のハードウェアアイテムにより実施されることができる。特定の方策が相互に異なる従属請求項に記載されるという単なる事実は、これらの方策の組み合わせが有利に使用されることができないことを示さない。
【図面の簡単な説明】
【００３９】
【図１】本発明による体重管理システムを概略的に示す。
【図２】遠隔サービスに結合された本発明による体重管理システムを概略的に示す。
【図３】本発明による方法のフロー図を示す。
【図４】本発明による移動プランナのブロック図を示す。
【図１】
2009521053.tif 000005
【図２】
2009521053.tif 000006
【図３】
2009521053.tif 000007
【図４】
2009521053.tif 000008
【国際調査報告】
2009521053.tif 000009
2009521053.tif 000010
2009521053.tif 000011
2009521053.tif 000012